(57)【要約】      （修正有）【課題】太陽光のエネルギーを利用可能な太陽電池から直接的又は間接的に供給される電力によって、装置本体の周囲を照らすことができる照明装置であって、利便性を損なう事無く、必要な電力を安定的に確保できる灯籠などとして使用する照明装置を提供する。【解決手段】電力供給により装置本体１内に直接的又は間接的に光を照射する発光部６を該装置本体１の内部側に設け、発光部６に供給する電力を発電する太陽電池７が設置される設置部２を前記装置本体１の外部側に取付け、装置本体１の内部から外側に光を漏らす孔などの光漏れ手段を設けて照明装置を構成する。さらに、前記設置部２を装置本体１に対して着脱可能に構成し、太陽電池７から発光部６への電力供給を可能にする供給回路８を設け、設置部２を装置本体１に一体的に取付けた取付け状態と、設置部２を装置本体１から取外した取外し状態との少なくとも２つの使用状態を有する。【選択図】図２
0003166223.tif 000002
【実用新案登録請求の範囲】
【請求項１】
ボックス状の装置本体（１）を備え、電力供給により装置本体（１）内に直接的又は間接的に光を照射する発光部（６）を該装置本体（１）の内部側に設け、発光部（６）に供給する電力を発電する太陽電池（７）が設置される設置部（２）を前記装置本体（１）の外部側に取付け、装置本体（１）の内部から外側に光を漏らす光漏れ手段（１４ａ）を設けた照明装置であって、前記設置部（２）を装置本体（１）に対して着脱可能に構成し、太陽電池（７）から発光部（６）への電力供給を可能にする供給回路（８）を設け、設置部（２）を装置本体（１）に一体的に取付けた取付け状態と、設置部（２）を装置本体（１）から取外した取外し状態との少なくとも２つの使用状態を有する照明装置。
【請求項２】
起立状態で設置される上下方向の装置本体（１）の一端側を、設置部（２）を着脱自在に取付ける着脱側としてなる請求項１に記載の照明装置。
【請求項３】
装置本体（１）の上記着脱側に発光部（６）を配置した請求項２に記載の照明装置。
【請求項４】
上記取付け状態時には、装置本体（１）の着脱側端部が上端部となり、取外し状態時には、該端部が下端部となるように、前記装置本体（１）を構成した請求項３に記載の照明装置。
【請求項５】
装置本体（１）内の着脱部側に収容スペース（４）を形成し、該収容スペース（４）に発光部（６）を嵌合収容させて設けた請求項３又は４の何れかに記載の照明装置。
【請求項６】
前記収容スペース（４）は、設置部（２）側が開放されてなる請求項５に記載の照明装置。
【請求項７】
設置部（２）のケース状に形成し、該設置部（２）の上面側にパネル状の太陽電池（７）を設置し、ケース状の設置部（２）内に、供給回路（８）を設けた請求項１乃至６の何れかに記載の照明装置。
【請求項８】
設置部（２）が、下方側が下方されたケース状に形成された請求項７に記載の照明装置。
【考案の詳細な説明】
【技術分野】
【０００１】
この考案は、灯籠等として用いられる照明装置に関する。
【背景技術】
【０００２】
ボックス状の装置本体を備え、電力供給により装置本体内に直接的又は間接的に光を照射する発光部を該装置本体の内部側に設け、発光部に供給する電力を発電する太陽電池が設置される設置部を前記装置本体の外部側に取付け、装置本体の内部から外側に光を漏らす光漏れ手段を設け、クリーンエネルギーである太陽光のエネルギーを利用して、装置本体の周囲を照らすことが可能な特許文献１，２に示す照明装置が公知になっている。
【先行技術文献】
【特許文献】
【０００３】
【特許文献１】特開２００９−２６７２４号公報
【特許文献２】実開平７−１４５０７号公報
【考案の概要】
【考案が解決しようとする課題】
【０００４】
上記文献の照明装置は、使用に際して、設置部が装置本体に常時一体的に取付けられ、発電から発光までを、装置本体側でまとめて行うことが可能であるため、運搬やメンテナンス時等の利便性が高い一方で、装置本体を日当たりの悪い場所に配置すると、装置本体の周囲を照らすのに必要な電力を確保できない場合がある。
【０００５】
本考案は、太陽光のエネルギーを利用可能な太陽電池から直接的又は間接的に供給される電力によって、装置本体の周囲を照らすことができる照明装置であって、運搬時やメンテナンス時等の利便性を損なう事無く、必要な電力を安定的に確保できる照明装置を提供することが課題とする。
【課題を解決するための手段】
【０００６】
上記課題を解決するため、第１に、ボックス状の装置本体１を備え、電力供給により装置本体１内に直接的又は間接的に光を照射する発光部６を該装置本体１の内部側に設け、発光部６に供給する電力を発電する太陽電池７が設置される設置部２を前記装置本体１の外部側に取付け、装置本体１の内部から外側に光を漏らす光漏れ手段１４ａを設けた照明装置であって、前記設置部２を装置本体１に対して着脱可能に構成し、太陽電池７から発光部６への電力供給を可能にする供給回路８を設け、設置部２を装置本体１に一体的に取付けた取付け状態と、設置部２を装置本体１から取外した取外し状態との少なくとも２つの使用状態を有することを特徴としている。
【０００７】
第２に、起立状態で設置される上下方向の装置本体１の一端側を、設置部２を着脱自在に取付ける着脱側としてなることを特徴としている。
【０００８】
第３に、装置本体１の上記着脱側に発光部６を配置したことを特徴としている。
【０００９】
第４に、上記取付け状態時には、装置本体１の着脱側端部が上端部となり、取外し状態時には、該端部が下端部となるように、前記装置本体１を構成したことを特徴としている。
【００１０】
第５に、装置本体１内の着脱部側に収容スペース４を形成し、該収容スペース４に発光部６を嵌合収容させて設けたことを特徴としている。
【００１１】
第６に、前記収容スペース４は、設置部２側が開放されてなることを特徴としている。
【００１２】
第７に、設置部２のケース状に形成し、該設置部２の上面側にパネル状の太陽電池７を設置し、ケース状の設置部２内に、供給回路８を設けたことを特徴としている。
【００１３】
第８に、設置部２が、下方側が下方されたケース状に形成されたことを特徴としている。
【考案の効果】
【００１４】
上記構成によれば、日当たりの良い場所に装置本体を設置する場合には、設置部を装置本体に一体的に取付けた取付け状態で使用する一方で、日当たりの悪い場所に装置本体を設置する場合には、設置部を装置本体から取外した取外し状態で使用し、太陽電池を設置した設置部を装置本体から離れた日当たりの良い場所に設置することにより、運搬やメンテナンス時等の利便性を損なう事無く、装置本体の周囲を照らすのに必要な電力を安定的に確保できる。
【００１５】
また、起立状態で設置される上下方向の装置本体の一端側を、設置部を着脱自在に取付ける着脱側とし、装置本体の上記着脱側に発光部を配置すれば、取付け状態時、太陽電池と発光部との距離が短くなるため、太陽電池から発光部に電力供給する供給回路の構成を簡略化できる。
【００１６】
さらに、上記取付け状態時には、装置本体の着脱側端部が上端部となり、取外し状態時には、該端部が下端部となるように、前記装置本体を構成すれば、取外し状態時にも、設置部に設置された太陽電池と、発光部との距離が短くなるため、供給回路の構成をより簡略化できる。
【図面の簡単な説明】
【００１７】
【図１】本考案の照明装置を適用した灯籠の全体斜視図である。
【図２】本灯籠の分解斜視図である。
【図３】本灯籠の分解側断面図である。
【図４】（Ａ）は設置ケース、ソーラパネル及び供給回路の構成を示す分解斜視図であり、（Ｂ）は設置ケースの平断面図であり、（Ｃ）及び（Ｄ）はそれぞれ設置ケースの他例を示す平断面図である。
【図５】本灯籠の取付け状態の側面図である。
【図６】本灯籠の取外し状態の側面図である。
【図７】（Ａ）は発光装置の内部構造を示す図面であり、（Ｂ）は（Ａ）のＢ−Ｂ断面図であり、（Ｃ）は（Ａ）のＣ−Ｃ断面図である。
【図８】発光装置の取付構造を示す断面図である。
【考案を実施するための形態】
【００１８】
図１は、本考案の照明装置を適用した灯籠の全体斜視図であり、図２は、本灯籠の分解斜視図であり、図３は、本灯籠の分解側断面図である。同図に示す通り、照明装置の一種である灯籠は、方形断面をなして上下方向に延びる筒状の本体ケース（装置本体）１と、本体ケース１の上下の一端側（着脱側）に着脱自在に取付固定される設置ケース（設置部）２と、本体ケース１の上下の他端側（閉塞側）に着脱自在に取付固定される閉塞体３と、本体ケース１に形成された収容スペース４に嵌合設置される発光装置（発光部）６と、設置ケース１の上面側に設置される方形板状のソーラパネル（太陽電池）７と、ソーラパネル７から発光装置６への電力供給を行う供給回路８（図４参照）とを備えており、上記本体ケース１と設置ケース２と閉塞体３とが、砂岩等の石材によって削り出し成形される。
【００１９】
上記発光装置６は、内部に複数のＬＥＤ９（図７参照）が設置された上下方向に軸心を有する円筒状に成形されており、この上下方向の全長が短く（具体的には、径よりも短く）設定されている。この発光装置６の上下一方側面は、配線用のハーネス（導線）１０が導出される導出面１１となり、上下他方側面は、内部からの光が透光する発光面１２になる。このため、少なくとも発光面１２側は、光を透過させる部材で構成されており、この発光面側の部材に、レンズ等によって、配光の機能を持たせてもよい。この他、ハーネス１０の導出端部（先端部）にはコネクタ１３が設けられている。
【００２０】
上記本体ケース１は、上下が開放されたボックス状をなし、起立状態で、直接又は閉塞体３を介して、設置される。本体ケース１の上下の各端部は、その他の部分である点灯部１４に比べて、内周及び外周ともに周囲が短く形成された嵌合部１６，１７となる。
【００２１】
点灯部１４は、その周面に、内周から外周に至る複数の漏れ孔１４ａが穿設されており、この漏れ孔１４ａを介して、点灯部１４内の光が、本体ケース１の周囲に漏れる。すなわち、この複数の漏れ孔１４ａが、本体ケース１の内部に照射された光を外側に漏らす光漏れ手段を構成している。なお、本体ケース１の少なくとも点灯部１４の材料を、光透性を有する材料によって構成することにより、光漏れ手段を構成してもよい。
【００２２】
２つの嵌合部１６，１７は、両方とも、点灯部１４の軸心に中心を有する円形リング状に成形されており、着脱側の嵌合部１６は、設置ケース２に着脱自在に嵌め込み固定される着脱側嵌合部になり、閉塞側の嵌合部１７は、閉塞体３に嵌め込み固定される閉塞側嵌合部になる。
【００２３】
以上により、本体ケース２の内部の空間は、着脱側嵌合部１６の内周側に形成される上述の収容スペース４と、閉塞側嵌合部１７の内周側に形成される空間と、点灯部１４の内周側に形成されるメインスペース１８とから構成される。
【００２４】
この収容スペース４の内周径は、発光装置６の外周径と略同一に設定されているため、該発光装置６を、この収容スペース４に、嵌合して収容させることができる。この収容スペース４のメインスペース１８側端部には、発光装置６の発光面１２側を受止めて、それ以上メインスペース１８側に発光装置６が嵌入されることを防止するリング状の受止部１９が一体形成されており、この受止部１９に発光装置６が受止められると、該発光装置６が、全長及び全周において、略ぴったりと収容スペース４内に収容された状態になる。
【００２５】
ちなみに、発光装置６の導出面１１から導出された上記ハーネス１０を、上記着脱側嵌合部１６の側方に配線できるように、着脱側嵌合部１６には、その端部をＵ字状又はＶ字状に切欠くことによりなる導出部１６ａが設けられている。そして、発光面１２から本体ケース１内のメインスペース１８に向かって照射された光が、光漏れ手段１４ａによって、本体ケース１の外側に漏れ、本体ケース１の周囲を照らす。ちなみに、図示する例では、発光装置６の光を直接、本体ケース１内のメインスペース１８に照射しているが、反射板やレンズ等により該メインスペース１８に間接的に光を照射してもよい。
【００２６】
上記閉塞体３は、その外周の断面形状は、本体ケース１における点灯部１４の外周の断面形状と略同一に成形された直方体形状の部材であって、この閉塞体３の本体ケース１側端面に、上述の閉塞側嵌合部１７を、嵌め込む凹部（嵌め込み口）３ａが形成されている。このため、この凹部３ａの断面形状は、本体ケース１における閉塞側嵌合部１７の外周の断面形状と略同一に形成され、その上下深さも、閉塞側嵌合部１７の上下長によりも若干長い程度に設定されている。
【００２７】
図４（Ａ）は設置ケース、ソーラパネル及び供給回路の構成を示す分解斜視図であり、（Ｂ）は設置ケースの平断面図であり、（Ｃ）及び（Ｄ）はそれぞれ設置ケースの他例を示す平断面図である。
【００２８】
上記設置ケース２は、断面視方形状をなして全長が短い上下方向の筒状をなし、その上下が開放されており、本体ケース１の外側に位置している。この設置ケース２の外周の断面形状は、本体ケース１の点灯部１４外周の断面形状と略同一に形成される一方で、設置ケース２の内周の断面形状は、着脱側嵌合部１６が嵌め込み可能（嵌合挿入可能）なサイズ及び形状に成形され、この内周側の空間が上述の供給回路８を設置する設置スペース２１（図３参照）になる。言換えると、設置ケース２の内周面下端部は、本体ケースの着脱側嵌合部１６が嵌め込み固定される嵌め込み口を構成している。
【００２９】
設置ケース２の上端面は、全長方向である上下方向に対して傾斜しており、この上端面には、方形板状のソーラパネル７が嵌め込み固定されるように下方に窪んだ窪み部２ａが一体形成されている。
【００３０】
上記ソーラパネル７は、設置ケース２の開放された上端側を閉塞するようにして、上記窪み部２ａに、上方側から嵌合され、この状態で、設置ケース２にボルト等で固定することにより、ソーラパネル７を設置ケース２の上面側に設置している。
【００３１】
この際、ソーラパネル７の受光面が上面となり、ソーラパネル７の下面側には、設置ケース２に収容される供給回路８が接続されている。ちなみに、このソーラパネル７の受光面に効率的に太陽光が照射されるように、設置ケース２の上面側は、上述の構成により、傾斜している。言換えると、該傾斜したソーラパネル７の受光面を、太陽光のある東から南を経て西に至る方向の何れかに向けることが好ましい。
【００３２】
上記供給回路８は、ソーラパネル７で発電された電力をバッテリ２２に供給することによりバッテリ２２を充電する充電回路２３と、該バッテリ２２と、バッテリ２２から発光装置６への電力供給を行うか否かを入切制御する制御回路２４とを備え、制御回路２４側のコネクタ２６が、上述した発光装置６側のコネクタ１３に、着脱自在に接続されることにより、ソーラパネル７側で発電した電力を、発光装置６に供給可能になる。
【００３３】
ちなみに、充電回路２３は、バッテリ２２の充電が満タンになった際には、ソーラパネル７からバッテリ２２への電力供給を停止するように構成してもよい。制御回路８は、光センサ等によって周囲が暗くなった場合にのみ、発光装置６に電力を供給して本体ケース１周囲を照らすように構成してもよい。また、上述の供給回路８は、設置ケース２内にフリーの状態で配置してもよいし、固定した状態で配置してもよい。さらに、この供給回路８の構成する充電回路２３とバッテリ２２と制御回路２４とを１つにまとめてユニット化してもよいし、必要に応じて、充電回路２３や、制御回路２４を省略してもよい。
【００３４】
また、図４（Ｂ）に示す通り、設置ケース２の内周面を、着脱側嵌合部１６が嵌合挿入可能であって且つ外周面に沿う方形状断面に成形してもよいが、同図（Ｃ）に示す通り、着脱側嵌合部１６の外周と略同一形状を有する円形に成形してもよい。これによって、よりスムーズに、設置ケース２を、本体ケース１に取付固定することが可能になる。
【００３５】
この他、同図（Ｄ）に示す通り、設置ケース２の内周面を、同図（Ｃ）に示す円形と、該円形に内接する方形よりも大きく外接する方形（同図（Ｂ）に示す方形）よりも小さい方形とを組み合わせた断面形状に成形してもよい。これによって、成形のし易さと、設置ケース２の本体ケース１への着脱容易性という２つのメリットを同時に満たすことが可能になる。
【００３６】
次に、図５及び６に基づき、灯籠の使用手段について説明する。
図５は、本灯籠の取付け状態の側面図であり、図６は、本灯籠の取外し状態の側面図である。本灯籠は、本体ケース１に設置ケース２を取付固定した取付け状態（図５参照）と、本体ケース１から設置ケース２を取外した取外し状態（図６参照）との２種類の使用形態を有する。
【００３７】
取付け状態時の灯籠は、図５に示す通り、本体ケース１の閉塞側を下側に向け、開放された閉塞側端を閉塞するようにして、凹部３ａ側の面が上側を向き且つ地面等の設置面に載置固定された閉塞体３の凹部３ａに、閉塞側嵌合部１７を嵌合固定することにより、起立状態で、上下方向の本体ケース１を設置させる。この後、収容スペース４に発光装置６が収容設置されるとともに、供給回路８が設置ケース２内に収容配置されるようにして、上側を向けられた着脱側の嵌合部である着脱側嵌合１６を、設置ケース２の内周面側に嵌め込み固定することにより、取付状態の灯籠の組立が完了する。
【００３８】
この状態では、全ての部材が、本体ケース１側にワンユニット化され、運搬時等の利便性やメンナンス時の利便性が高まるとともに、各種部材が内部に収容され、雨や風に対する耐久性も向上するというメリットを有する。また、この際、下方が開放された設置スペース２は、上方が開放された収容スペース４と直接的に連接されるため、ソーラパネル７から発光装置６に最短で電力供給することが可能になるため、供給回路８の構成が簡略化される。
【００３９】
一方、取外し状態時の灯籠は、図６に示す通り、本体ケース１の閉塞側を上側に向け、開放された閉塞側端を閉塞するようにして、凹部３ａ側の面が下側に向けられた閉塞体３の凹部３ａに、閉塞側嵌合部１７を嵌合固定するとともに、下側を向けられた着脱側の嵌合部である着脱側嵌合１６を、直接、地面等の設置面に接地させることにより、起立状態で、上下方向の本体ケース１を設置させる。
【００４０】
この際、収容スペース４内に収容設置された発光装置６のハーネス１０を、切欠き状の導出部１６ａを介して、着脱側嵌合部１６の側方に配線するとともに、本体ケース１から取外された状態の設置ケース２の下端部を、地面等の設置面に接地させ、この設置ケース２の内部に設けられた供給回路８からのコネクタ２６を、設置ケース２の外側に導出させる。そして、設置ケース２側からのコネクト２６と、発光装置６側からのコネクタ１３とを、接続し、ソーラパネル７から発光装置６への電力供給が可能な状態にして、取外し状態の灯籠の組立が完了する。
【００４１】
この状態では、本体ケース１及び閉塞体３が日当たりの悪い場所に設置されても、設置ケース２を日当たりの良い場所に設置することにより、本体ケース１の周囲を照らすのに十分な電力を得ることが容易になる。
【００４２】
以上のように、一体の灯籠で、２つの使用手段を有するため、様々な環境に対応可能になり、汎用性も向上する。
【００４３】
次に、図７及び８に基づき、発光装置及びその取付構造について詳述する。
図７（Ａ）は発光装置の内部構造を示す図面であり、（Ｂ）は（Ａ）のＢ−Ｂ断面図であり、（Ｃ）は（Ａ）のＣ−Ｃ断面図である。照明装置６は、一端が開放され且つ他端が開放された円筒状の照明ケース２７と、該開放された一端側を閉塞する円形の透光パネル２８と、照明ケース２７内に設置されるＬＥＤユニット２９とを備えている。
【００４４】
ＬＥＤユニット２９は、基板３１と、基板３１にハンダ等で取付けられた複数の前記ＬＥＤ９とから構成されている。
【００４５】
照明ケース２７は、合成樹脂によって一体的に成形される部材であって、閉塞された側の端部の外面が上述した導出面１１になり、開放された側の端部には、透光パネル２８を嵌め込み固定する嵌め込み部２７ａが、一段窪んで凹設されており、この透光パネル２８の外面が上述した発光面１２になる。このため、透光パネル２８は、照明ケース２７内の光が発光面１２から外側に照射されるように、透明又は透光性を有する合成樹脂又は硝子等によって構成されている。
【００４６】
この他、照明ケース２７内の周面側には、所定間隔毎（図示する例では６０度間隔毎）に軸方向に延びるサイドリブ３２が複数一体形成され、照明ケース２７内の底面側には、径方向の延びる放射リブ３３が所定間隔毎(図示する例では、９０度間隔毎)に複数一体形成されるとともに、軸心を中心とする円形リング状の環状リブ３４が一体形成されており、これらによって合成樹脂製の照明ケース２７の強度補強が図られている。ちなみに、各放射リブ３３の位置に、対応するサイドリブ３２が位置するように、両リブ３２，３３が配置構成されている。
【００４７】
また、この照明ケース２７内の底面側において、軸心を通過して径方向に延びる仮想線上（Ｂ−Ｂ断面上）には、複数（図示する例では２つの）の取付孔３６と、ハーネス１０を通すための配線孔３７とが一体成形されている。複数の取付孔３６の１つは、照明ケース２７内の底面側の軸心部に位置している。
【００４８】
さらに、この照明ケース２７内の底面側における環状リブ３４には、上記取付孔３６の配置列を避けるようにして、所定間隔毎（図示する例では、９０度間隔毎）に、係止突起３８が複数一体的に突出形成されている。この複数の係止突起３８は、軸心に対して点対称な位置に配置されたものを一組として、複数組（図示する例では２組）設けられている。この係止突起３８を介して、ＬＥＤ９の照射方向が透光パネル２８側を向けられた状態で、基板３１が、照明ケース２７内に、取付固定されている。
【００４９】
該構成の照明装置６は、細長い方形板状の固定ブラケット３９を介して、本体ケースの着脱側嵌合部１６の内周側に取付固定される。
【００５０】
図８は、発光装置の取付構造を示す断面図である。着脱側嵌合部１６には、固定ブラケット３９の両端部を収容する深さの固定溝１６ｂが凹設されており、両端部が厚み方向全体に亘り上記取付溝１６ｂに収容された固定ブラケット３９は、固定ブラケット３９の両端部に穿設された固定孔４１に挿通される固定ボルト４２によって、着脱側嵌合部１６に取付固定される。この際に、固定ボルト４２のボルトヘッド４２ａが固定ブラケット３９から突出することがないように、固定孔４１には、ボルトヘッド４２ａ全体を嵌合収容する収容部４１ａが形成されている。
【００５１】
また、固定ブラケット３９における配線孔３７が位置する箇所には、ハーネス１０を通すための通し孔３９ａが穿設されている他、固定ブラケット３９における照明ケース２７の取付孔３６が位置する各箇所には、取付孔４３が穿設されており、固定ブラケット３９及び照明ケース２７の両取付孔３６，４３に挿通された取付ボルト４４と、該取付ボルト４４の先端部に取付けられるナット４６とを介して、照明装置６が、固定ブラケット３９にボルト固定され、これによって、照明装置６が、本体ケース１に固定される。ちなみに、両取付孔３６，４３には、取付ボルト４４のボルトヘッド４４ａ又はナット４６を収容する収容部３６ａ，４３ａが形成される。具体的には、照明ケース２７側の取付孔３６の収容部３６ａに予めナット４６を固定しておく。
【００５２】
このようにして、この上記収容部３６ａ，４１ａ,４３ａに、ボルトヘッド４２ａ，４４ａ及びナット４６の全体を収容するとともに、固定ブラケット３９の両端部を、厚み方向全体に亘り、取付溝１６ｂに収容させることにより、着脱側嵌合部１６の先端面が、フラットに形成され、取外し状態時に、本体ケース１を安定的に起立させることが可能になる。
【符号の説明】
【００５３】
１  本体ケース（装置本体）
２  設置ケース（設置部）
４  収容スペース
６  発光装置（発光部）
７  ソーラパネル（太陽電池）
８  供給回路
１４ａ  漏れ孔（光漏れ手段）
【図１】
0003166223.tif 000003
【図２】
0003166223.tif 000004
【図３】
0003166223.tif 000005
【図４】
0003166223.tif 000006
【図５】
0003166223.tif 000007
【図６】
0003166223.tif 000008
【図７】
0003166223.tif 000009
【図８】
0003166223.tif 000010